(57)【要約】【課題】制御盤のエアフィルタに付着した塵埃を除去し清掃する。【解決手段】制御盤エアフィルタの清掃装置であって、制御盤内に設置され、制御盤の扉の開閉に伴って動作するリンク機構と、エアフィルタに近接して配置され、リンク機構の一端に取り付けられた清掃ブラシと、を有し、扉の開閉動作に連動して、清掃ブラシによりエアフィルタの表面に付着した塵埃を除去する。【選択図】図２
2016042759.tif 000002
【特許請求の範囲】
【請求項１】
制御盤エアフィルタの清掃装置であって、
該制御盤内に設置され、該制御盤の扉の開閉に伴って動作するリンク機構と、
エアフィルタに近接して配置され、該リンク機構の一端に取り付けられた清掃ブラシと、
を有し、
該扉の開閉動作に連動して、該清掃ブラシにより該エアフィルタの表面に付着した塵埃を除去することを特徴とする制御盤エアフィルタの清掃装置。
【請求項２】
前記制御盤の扉の裏面に設置された水平方向の長穴を有するガイド部と、
前記制御盤の扉の裏面と前記エアフィルタとの間に水平方向の長いガイド溝を有するスライド用枠を備え、
前記リンク機構は、
一端を制御盤内に固定され自軸のまわりに回転する第１回転ピンに支持され、他端を該ガイド部の長穴の中でスライドし自軸のまわりに回転するスライドピンに支持された第１リンクと、
両端に長穴を有し、一端は該スライドピンに支持され、他端は該長穴の中に配設された自軸のまわりに回転する第２回転ピンに支持され、中央部は該制御盤の扉の裏面に設置され自軸のまわりに回転する支点に支持された第２リンクと、
を有し、
前記清掃ブラシは、第２回転ピンに緩く嵌合するスライド駒に設置され、
該スライド駒は該スライド用枠の水平方向の長溝に緩く嵌合し、
第２リンクと、前記清掃ブラシと、該スライド駒とは、前記エアフィルタと該スライド用枠との間に位置し、
該扉の開け閉めの動作に連動して、第１リンクが第２リンクを押したり引いたりすることにより、該スライドピンは該スライド用枠のガイド溝の中を水平方向に直線運動をなし、
これに伴って、第２リンクが該支点の回りに回転し、該スライド駒は該ガイド溝に緩く嵌合した状態で水平方向に直線運動をなし、これに伴って前記清掃ブラシが水平方向に直線運動をなして、前記エアフィルタの表面に付着した塵埃を擦り落とすことを特徴とする請求項１に記載の制御盤エアフィルタの清掃装置。
【発明の詳細な説明】
【技術分野】
【０００１】
この発明は、制御盤エアフィルタの清掃装置に関する。
【背景技術】
【０００２】
制御盤に収納部品冷却用のファンを取り付ける場合は、外気を取り込むための吸気用の開口部が必要になり、開口部からの塵埃の侵入を防ぐためにフィルタを設けなければならない。制御盤を稼動しているとエアフィルタには塵埃が詰まり、これにより吸気効率が落ちるため、定期的なメンテナンスにより塵埃を除去する必要がある。メンテナンスとして、水洗いや、掃除機による塵埃吸引を行い、目詰まりした塵埃を取り除く作業を行うことにより、清掃したエアフィルタを継続して利用することができる。
【０００３】
しかし、エアフィルタは消耗品扱いのため、何度かメーカによる保守点検時の掃除を経て、最後は交換による廃棄処分となる。顧客自らがまめにフィルタ掃除を行うことはほとんどなく、メーカによる保守点検時までは、汚れがフィルタに蓄積された状態で使用されているのが実情である。
ところが、長期間エアフィルタを掃除しないと、冷却用ファンによる吸気量が低減して、冷却効果が減少するため、制御盤内の電気・電子部品、機械部品が発熱して誤動作を発生したり、部品の寿命が短くなる。
【０００４】
制御盤のエアフィルタの保守に関する従来技術の例として、特許文献１には、屋外に設置した配電盤、制御盤等のキャビネット内に換気口から雨水が浸入するのを防止して換気を行う盤用換気装置が開示されている。
【先行技術文献】
【特許文献】
【０００５】
【特許文献１】特許第４７３０８７０号公報
【発明の概要】
【発明が解決しようとする課題】
【０００６】
特許文献１に記載の盤用換気装置は、フィルタの交換作業について述べられているが、フィルタ自体の汚れ防止にまで言及されていない。
【０００７】
本発明の目的は、制御盤のエアフィルタに付着した塵埃を除去して清掃することである。
【課題を解決するための手段】
【０００８】
本発明は、制御盤エアフィルタの清掃装置であって、制御盤内に設置され、制御盤の扉の開閉に伴って動作するリンク機構と、エアフィルタに近接して配置され、リンク機構の一端に取り付けられた清掃ブラシと、を有し、扉の開閉動作に連動して、清掃ブラシによりエアフィルタの表面に付着した塵埃を除去することを特徴とする制御盤エアフィルタの清掃装置として実現することができる。
【発明の効果】
【０００９】
本発明によれば、制御盤エアフィルタの清掃装置は、扉の開け閉めの力を利用するため、動作のための電源を必要とせず、安価な構造で実現できる。また、頻繁な清掃により、制御盤内の冷却性能が向上し、発熱による誤動作が低減し、部品の寿命を延すことができる。
【図面の簡単な説明】
【００１０】
【図１】一実施例に係る制御盤の外観を示す正面図及び側面図である。
【図２】一実施例に係る制御盤エアフィルタの清掃装置を示す斜視図である。
【図３】一実施例に係る制御盤エアフィルタの清掃装置の部品構成を示す図である。
【発明を実施するための形態】
【００１１】
以下、本発明の実施例につき、図面を用いて説明する。
【００１２】
図１は、本実施例に係る制御盤１０の外観図である。１５は制御盤の取っ手、１７は吸気用のスリット群、２０は冷却ファンである。スリット群１７から吸入した冷却風を天井から排気する構造となっている。
【００１３】
図２は、本実施例に係る制御盤エアフィルタの清掃装置の斜視図であり、図３は清掃装置の部品構成を示す図面である。図２と図３に基づいて、まず本清掃装置の構造を以下に説明する。図２において、１３は制御盤１０の扉であり、１３ａは扉１３の裏面、１１０は扉１３の裏面１３ａに取り付けられ、水平方向に長いガイド溝１５０を有するスライド用枠（詳細は後述）、１００はエアフィルタ、９０はエアフィルタ１００を押さえる押さえ網である。６０は、第１リンク４０と第２リンク７０の動きをガイドする水平方向に長い溝を有するガイド部であり、３０は制御盤１０の底面に設置された、自軸の回りに回転可能な第１回転ピンである。
【００１４】
５０は自軸の回りに回転可能で、ガイド部６０の長い溝に緩く嵌合した状態でスライドするスライドピンであり、第１リンク４０の一端と第２リンク７０の一端を接続し支持している。８０は、扉１３の裏面１３ａに設置された自軸の回りに回転可能な、第２リンクの支点である。１４０は自軸の回りに回転可能な第２回転ピンであり、第２リンクの長穴８４に緩く嵌合して長穴の中をスライドする。４０は、一端を第１回転ピン３０に支持され、他端をスライドピン５０に支持された第１リンクである。７０は、一端をスライドピン５０で支持され、他端は第２回転ピン１４０で支持された第２リンクである。
【００１５】
１２０はエアフィルタ１００の塵埃を除去する清掃ブラシであり、１３０はスライド用枠１１０のガイド溝１５０の中を左右にスライドするスライド駒である。スライド駒１３０は清掃ブラシ１２０を搭載した状態で第２回転ピン１４０に緩く嵌合される。第２リンク７０と、第２回転ピン１４０と、スライド駒１３０と、清掃ブラシ１２０とは、組み立てられた状態では、エアフィルタ１００とスライド用枠１１０の間に位置する。
【００１６】
次に、清掃装置の動作について以下に説明する。扉１３の開閉に伴って、スライドピン５０は、第１リンク４０により、押されたり、引かれたりするため、ガイド部６０の中で５５の矢印に示すように左右に動く。扉１３が閉まっている状態では、スライドピン５０は、ガイド部６０の中で最も右に位置し、扉１３が開くに連れて、第１リンク４０により左に引っ張られるため、徐々に左に移動し、扉１３が最も開いた状態では最も左に位置する。第１リンク４０の動きに連動して、第２リンク７０は、支点８０を回りに回転運動を行い、それに伴って、スライド駒１３０は、ガイド溝１５０の中を左右に移動する。これに伴い、清掃ブラシ１２０が左右に移動して、エアフィルタ１００の表面を左右に擦って、塵埃を除去することができる。
【００１７】
本実施例によれば、人手による扉の開け閉めを利用するため、動作用電源を必要とせず、安価な構造で実現できる。また、フィルタの頻繁な清掃により、制御盤内の冷却性能が向上し、発熱による誤動作が低減し、部品の寿命を延すことができる。
【符号の説明】
【００１８】
１０…制御盤、１３…制御盤１０の扉、３０…第１回転ピン、４０…第１リンク、
５０…スライドピン、６０…ガイド部、７０…第２リンク、８０…支点、
１００…エアフィルタ、１１０…スライド用枠、１２０…清掃ブラシ、
１３０…スライド駒、１４０…第２回転ピン
【図１】
2016042759.tif 000003
【図２】
2016042759.tif 000004
【図３】
2016042759.tif 000005